(57)【特許請求の範囲】
【請求項１】
複数の傘型ユニットを桁行方向に並設して成る簡易木造構造物であって、
前記傘型ユニットは、山型に組み合わされた垂木部材と、前記垂木部材の頂部に地面と垂直に配設される柱部材と、前記柱部材の下端側に地面と平行に配設されるベース部材と、前記柱部材と左右の垂木部材間をそれぞれ斜設する方杖板とから構成される一方、
前記柱部材は、複数の板材を重ね合わせて構成され、
少なくとも一つの板材は、頂部側が他の板材よりも短いものが使用され、
前記短い板材の頂部側の端面に前記垂木部材が載置されていることを特徴とする簡易木造構造物。
【請求項２】
前記傘型ユニットの少なくともひとつには、柱部材に地面と平行に配設されたカウンター部材を含み、少なくとも一つの傘型ユニットのカウンター部材が他の傘型ユニットのカウンター部材とは違う高さになるように配設されたことを特徴とする、請求項１に記載の簡易木造構造物。
【請求項３】
前記傘型ユニットの少なくともひとつには、前記ベース部材に地面と垂直に複数配設される杭部材を含んで構成されることを特徴とする、請求項１又は２に記載の簡易木造構造物。
【請求項４】
請求項１又は２に記載の傘型ユニットを、予め地面に掘った穴の中に桁行方向に所定間隔で順次立設し、各々の傘型ユニットの隣り合う垂木部材同士の対向面に連結板を固定して傘型ユニット同士を連結し、前記穴に少なくともベース部材が全て覆われるようにコンクリートを流し込んで埋設する、簡易木造構造物の設置工法。
【請求項５】
請求項１又は２に記載の傘型ユニットを、桁行方向に所定間隔で順次立設し、各々の傘型ユニットの隣り合う垂木部材同士の対向面に連結板を固定して傘型ユニット同士を連結し、ベース部材を囲繞するように配置した型枠内に、少なくともベース部材が全て覆われるようにコンクリートを流し込んで固定する、簡易木造構造物の設置工法。
【請求項６】
請求項３に記載の傘型ユニットを、ベース部材が地面に載置される位置まで杭部材を地面に穿通することによって桁行方向に所定間隔で順次立設し、各々の傘型ユニットの隣り合う垂木部材同士の対向面に連結板を固定して傘型ユニット同士を連結し、ベース部材を囲繞するように配置した型枠内に、少なくともベース部材が全て覆われるようにコンクリートを流し込んで固定する、簡易木造構造物の設置工法。
【発明の詳細な説明】
【技術分野】
【０００１】
本発明は、例えば東屋(あずまや)等のように、屋根部を支柱で支える構造の簡易木造構造物、及びその設置工法に関するものである。
【背景技術】
【０００２】
従来から、公園や飲食店の店舗前、商業施設の屋上等において、休憩や飲食スペースを提供する目的で簡易的な建築物を設置して、人々に利用してもらうことが行われてきた。
【０００３】
これらの建築物は一時的な利用を想定した簡易的なものであるため、建築物としての構造的な強度は確保しつつも、簡単な構造でなるべくコストをかけず、様々な場所に容易に設置できるだけでなく、幅広い人に快適に利用してもらうことができるものが望まれていた。
【０００４】
従来において、構造物の柱と屋根の取付けを容易にするため、屋根パイプにガイド棒を設け、中空の柱の内壁にそのガイド棒が回転しながら侵入できるような螺旋溝を設けた構造物、及びその屋根の取付け方法の技術が提案されており（特許文献１参照）、これにより、柱の直上から屋根を挿入するだけで、柱に屋根を容易に取付けることができるようになった。
【０００５】
しかしながら、この技術では、屋根パイプや柱等に強度のある重い金属材料を使用しなければならず、柱を複数並べて縦長の構造物にする場合には、大きなクレーンで設置の作業を繰り返すことになり、建築物の設置に手間が係るという問題があった。
【０００６】
一方、構造物を簡単な作業で床面に固定することを目的として、ベース部材上に立てた柱の周りに、分割した錘を囲繞された状態で設置した構造物の設置工法の技術が提案されており（特許文献２参照）、これにより、地盤にフーチングを打設することなく、容易に構造物を設置することができるようになった。
【０００７】
しかしながら、この技術では、土間置きの場合には有効であるが、土置きや地中埋設が必要な場合には基礎が不安定な為そのままは適用できず、ベース部分の構造を大きく変えたり、別途基礎の施工をしたりする必要があるという問題があった。また、荷重を分散する目的のベース部材は、錘で撓むことのないよう鋼板を用いる必要があり、その重量のため、部材の運搬や設置に重機が必要になるなど、手間とコストがかかるという問題があった。
【０００８】
他方、簡単な構造でありながらも、幅広い人に快適に利用してもらうため、利用客に合わせて座るカウンター面の奥行を広くしたり、横に長くしたりすることができる移動休憩台の技術が提案されており（特許文献３参照）、これにより、使用する人数に応じて容易にカウンター面の長さや奥行を調整することができるようになった。
【０００９】
しかしながら、一般的に、座って休憩する場合はカウンター面の奥行や長さよりも、高さが身体に合うかどうかが重要であり、この技術では、高さに関しては一定のものしか提供できないという問題があった。
【先行技術文献】
【特許文献】
【００１０】
【特許文献１】特開２００４−１００１７２号公報
【特許文献２】特開２００５−２９９２４７号公報
【特許文献３】特開２０００−１８６４３５号公報
【発明の概要】
【発明が解決しようとする課題】
【００１１】
本発明は、従来技術に前記問題があったことに鑑みて為されたものであり、その目的とするところは、建築物としての構造的な強度は確保しつつも、簡単な構造でなるべくコストをかけず、様々な場所に容易に設置できるだけでなく、幅広い人に快適に利用してもらうことができる簡易木造構造物、及びその設置工法を提供することにある。
【課題を解決するための手段】
【００１２】
本発明者が前記技術的課題を解決するために採用した手段を、添付図面を参照して説明すれば、次のとおりである。
【００１３】
即ち、本発明は、複数の傘型ユニットＵを桁行方向に並設して成る簡易木造構造物Ａにおいて、前記傘型ユニットＵを、山型に組み合わされた垂木部材１・１と、前記垂木部材１・１の頂部に地面Ｇと垂直に配設される柱部材２と、前記柱部材２の下端側に地面Ｇと平行に配設されるベース部材４と、前記柱部材２と左右の垂木部材１・１間をそれぞれ斜設する方杖板３とから構成し、前記柱部材２は、複数の板材を重ね合わせて構成し、少なくとも一つの板材は、頂部側が他の板材よりも短いものを使用し、前記短い板材の頂部側の端面に前記垂木部材１・１を載置した点に特徴がある。
【００１４】
また、前記傘型ユニットの少なくともひとつには、柱部材に地面と平行に配設されたカウンター部材を含み、少なくとも一つの傘型ユニットのカウンター部材が他の傘型ユニットのカウンター部材とは違う高さになるように配設するという技術的手段を採用することもできる。
【００１５】
更に、前記傘型ユニットの少なくともひとつには、前記ベース部材に地面と垂直に複数配設される杭部材を含んで構成するという技術的手段を採用することもできる。
【００１６】
一方、前記傘型ユニットを、予め地面に掘った穴の中に桁行方向に所定間隔で順次立設し、各々の傘型ユニットの隣り合う垂木部材同士の対向面に連結板を固定して傘型ユニット同士を連結し、前記穴に少なくともベース部材が全て覆われるようにコンクリートを流し込んで埋設するという技術的手段を採用することもできる。
【００１７】
また、前記傘型ユニットを、桁行方向に所定間隔で順次立設し、各々の傘型ユニットの隣り合う垂木部材同士の対向面に連結板を固定して傘型ユニット同士を連結し、ベース部材を囲繞するように配置した型枠内に、少なくともベース部材が全て覆われるようにコンクリートを流し込んで固定するという技術的手段を採用することもできる。
【００１８】
更に、前記ベース部材に地面と垂直に複数配設される杭部材を含む前記傘型ユニットを、ベース部材が地面に載置される位置まで杭部材を地面に穿通することによって桁行方向に所定間隔で順次立設し、各々の傘型ユニットの隣り合う垂木部材同士の対向面に連結板を固定して傘型ユニット同士を連結し、ベース部材を囲繞するように配置した型枠内に、少なくともベース部材が全て覆われるようにコンクリートを流し込んで固定するという技術的手段を採用することもできる。
【発明の効果】
【００１９】
本発明では、木造の垂木部材を、複数の板材を重ね合わせて成る柱部材の頂部において他の板材より短い板材の端面に載置し、更に方杖板を斜設して傘型ユニットを構成したことにより、簡単な構造で安価でありながらも、屋根や雪などの荷重に耐えることができ、構造物としての強度を確保することができる。
【００２０】
また、傘型ユニット毎にカウンター部材の高さを部分的に変えて設置することで、部材を追加することなく、利用客の体格等に合わせて複数の高さのカウンター面を設けることができ、コストをかけずに幅広い人に快適に利用してもらうことができる。
【００２１】
また、埋設可能な現場においては、予め地面に掘った穴の中に傘型ユニットを順次立設してコンクリートで埋設することにより、大がかりな重機を必要とせず、設置が容易でありながらも強固に設置することができる。
【００２２】
また、元々強固な地盤で土間置きが可能な現場においては、傘型ユニットを順次立設して、ベース部材を囲繞するように配置した型枠内にコンクリートを流し込んで固定することにより、大がかりな重機を必要とせず、設置が容易でありながらも強固に設置することができる。
【００２３】
更に、土などの柔らかい地盤の現場においては、杭部材を地面に穿通することによって傘型ユニットを順次立設して、ベース部材を囲繞するように配置した型枠内にコンクリートを流し込んで固定することにより、大がかりな重機を必要とせず、設置が容易でありながらも強固に設置することができる。
【００２４】
以上のように、本発明によって、基本的な構造は極めて簡単で設置のコストが安価であり、その上、部材をほとんど変更することなく、地盤の状況、利用者の体格等に対応することができる簡易木造構造物、及びその設置工法を提供することができる。
【図面の簡単な説明】
【００２５】
【図１】本発明の実施例１における簡易木造構造物を表わす全体斜視図である。
【図２】本発明の実施例１における傘型ユニットを表わす正面図及び部分断面図である。
【図３】本発明の実施例１における簡易木造構造物の設置過程を表す全体斜視図である。
【図４】本発明の実施例１における簡易木造構造物の設置後の地中部分を表す部分断面図である。
【図５】本発明の実施例２における簡易木造構造物を表わす全体斜視図である。
【図６】本発明の実施例２における傘型ユニットを表わす正面図である。
【図７】本発明の実施例２における簡易木造構造物の設置過程を表す全体斜視図である。
【図８】本発明の実施例２における簡易木造構造物の設置後の載置部分を表す部分断面図である。
【図９】本発明の実施例３における簡易木造構造物を表わす全体斜視図である。
【図１０】本発明の実施例３における傘型ユニットを表わす正面図である。
【図１１】本発明の実施例３における簡易木造構造物の設置過程を表す全体斜視図である。
【図１２】本発明の実施例３における簡易木造構造物の設置後の載置部分を表す部分断面図である。
【発明を実施するための形態】
【００２６】
『実施例１』
本発明の実施例１を、図１から図４に基づいて以下に説明する。
【００２７】
[簡易木造構造物の構成]
[１]簡易木造構造物の基本構成について
本実施例の簡易木造構造物（図１参照）では、桁行方向に傘型ユニットＵ・Ｕ…が並設され、各傘型ユニットＵ同士は上側振れ止め部材６・６や連結板８・８…を用いて連結（後述する）されている。
【００２８】
本実施例では、連結する傘型ユニットＵ・Ｕ…の間隔は50cmとし、連結数を９本としている。なお、連結の間隔、連結数は、状況に応じて適宜変更することができる。
【００２９】
この連結された傘型ユニットＵ・Ｕ…は、柱部材２・２…の下端部側が地面Ｇに埋設され、コンクリートＣで固められている（後述する）。
【００３０】
また、隣り合う傘型ユニットＵ・Ｕの柱部材２・２には、カウンター部材５・５が、左右に突出するように取り付けられている。
【００３１】
更に、傘型ユニットＵ・Ｕ…の垂木部材１・１…上には、野地板Ｒ・Ｒが取り付けられており、アルミニウム・亜鉛合金めっき鋼板等の屋根材（図示せず）が葺設される。
【００３２】
連結に用いる上側振れ止め部材６・６は、薄形の板材であり、傘型ユニットＵの柱部材２の左右側端面に、桁行方向に地面と水平に取付けられる。なお、バランスを取るため、柱部材２に対して対称的に取付けるのが望ましい。
【００３３】
また、隣り合う垂木部材１・１…同士の対向面に、連結板８・８…を釘やビス等の止着部材（図示せず）で固定して、隣り合う傘型ユニットＵ・Ｕ…同士を連結している。
【００３４】
このとき、屋根の強度向上及び施工の容易化のため、連結板８・８…の固定位置を、屋根を上面側から見たときに、連結板８・８…のピッチの半分の位置に順次交互にずらして、千鳥配置とするのが好ましい（図１参照）。なお、連結板８・８…は千鳥配置でなく、直列に配置されていても構わない。
【００３５】
また、本実施例では、傘型ユニットＵ・Ｕ…の頂部付近に、二本の連結板８・８を寄せて直列に配置することによって頂部付近の強度を高めている。
【００３６】
本実施例では、全ての板材に、厚さ45mmの木板材を使用しているが、屋根の強度及び重量バランスを考慮して一部により厚い板材を使用しても構わない。
【００３７】
[２]傘型ユニットの基本構成について
本実施例の傘型ユニットＵ（図２参照）は、頂部を介して山型に組み合わせた二枚の垂木部材１・１を、柱部材２の頂部側に載置すると共に、方杖板３・３が柱部材２と垂木部材１・１を繋ぐように斜設されている。
【００３８】
また、柱部材２の他端側には、薄板形状のベース部材４が、地面と平行に取付けられている。このベース部材４は、コンクリートで固める際、所謂根がらみの役割を果たすものであり、本実施例では120mmの長さのものを使用しているが、長さは状況に応じて適宜変更することができる。
【００３９】
一方、柱部材２は、頂部側端面が垂木部材１の山型に合わせた形状に加工された、二枚の板材を重ね合わせて構成している。
【００４０】
ここで、表側柱板材2aの頂部側は、裏側柱板材2bよりも、垂木部材１の板幅の分だけ短いものを使用しており、これによって生じる段差部分に垂木部材１を載置して固定している。
【００４１】
このようにすることで、垂木部材１にかかる荷重を、柱部材２の表側柱板材2aによって支えることができ、木造構造物としての強度を向上させることができる。なお、柱部材２の柱板材は二枚に限らず、それ以上の複数枚で構成されていてもよい。
【００４２】
また、本実施例の方杖板３・３は、柱部材２の表側柱板材2aと垂木部材１・１に重なるように斜設され、柱部材２の中心線上で面接触した状態で固定されている。
【００４３】
このとき、柱部材２と方杖板３との成す角度は４５度が好ましいが、０〜９０度の間で適宜変更することもできる。
【００４４】
各部材の固定に用いる止着部材（図示せず）は、本実施例では亜鉛メッキ釘を用い、各結合箇所当たり５本の釘で止着している。なお、止着部材はステンレス釘でもよく、釘以外のビス等を用いても構わない。また、結合箇所当たりの本数も適宜調整が可能である。
【００４５】
[３]簡易木造構造物の設置方法について
本実施例の簡易木造構造物の設置方法（図３参照）は、あらかじめ設置する場所の地面Ｇに、所定の穴Ｈを掘り、そこにあらかじめ連結した傘型ユニットＵ・Ｕ…をコンクリートＣで埋設することにより行う。
【００４６】
本実施例の穴Ｈは、上から見たときに約80cm×約５ｍの長方形を成し、地面Ｇからの深さは80cmの穴としているが、穴の形状や寸法は、状況に応じて適宜変更することができる。
【００４７】
各傘型ユニットＵ同士は、前述のように上側振れ止め部材６・６や連結板８・８…を用いて連結する。また、より強固に連結するため、下側振れ止め部材７・７をベース部材４の直上の柱部材２の左右側端面に、桁行方向に地面と平行に取付けるのが望ましい。
【００４８】
また、前述のように、隣り合う傘型ユニットＵ・Ｕ…の柱部材２・２…に、カウンター部材５・５…を、左右に突出するように順次取り付ける。
【００４９】
本実施例では、カウンター部材５・５…の地面Ｇからの高さが40cmと50cmが交互になるように取り付けられている。
【００５０】
これにより、特別な部材を追加することなく、利用者が体格に合わせて選ぶことができる快適なカウンター面を提供することができる。
【００５１】
なお、この高さは利用する人の体格等に合わせて、適宜変更でき、全て同じ高さでも良いし、全て違う高さでも良い。また、柱部材２を挟んで左右で同じ高さでも良いし、違う高さでも良い。
【００５２】
このようにして連結した傘型ユニットＵ・Ｕ…を、クレーンを用いて吊り上げ、穴Ｈ内に挿入する。
【００５３】
このとき、ベース部材４・４…が穴Ｈの底面に接地しないよう、浮かせた状態で静止させ、穴Ｈの中にコンクリートＣを流し込むことにより埋設する（図３、図４参照）。
【００５４】
また、コンクリートＣは、ベース部材４・４…を全て覆うように埋設するのが望ましく、更に下側振れ止め部材７・７も全て覆うように埋設するのがより好ましい。
【００５５】
このような簡易木造構造物の設置工法であれば、連結の作業には重機を必要とせず、埋設の際に一度吊り上げるだけで済み、容易かつ強固に設置することができる。
【００５６】
『実施例２』
本発明の実施例２を、図５から図８に基づいて以下に説明する。なお、図面中、同一要素には同一符号を付すこととし、重複する説明は省略する。
【００５７】
[簡易木造構造物の構成]
[４]簡易木造構造物の基本構成について
本実施例の簡易木溝構造物（図５参照）では、基本的な構成は実施例１と同様であるが、連結された傘型ユニットＵ・Ｕ…が、コンクリート等の固い地面Ｇの上に載置され、コンクリートＣで固められている点が実施例１と相違する。
【００５８】
そのため、本実施例は、カウンター部材５の地上Ｇからの高さを実施例１と同じにするため、ベース部材４とカウンター部材５との間隔を実施例１よりも狭く設定している。
【００５９】
[５]傘型ユニットの基本構成について
本実施例の傘型ユニットＵ（図６参照）は、基本的な構成は実施例１と同様であるが、ベース部材４に、実施例１よりも長いものを用いている点が実施例１と相違する。
【００６０】
また、斜材９・９が柱部材２とベース部材４を繋ぐように斜設されている点も実施例１と相違する。
【００６１】
この斜材９・９は、柱部材２の表側柱板材2aとベース部材４に重なるように斜設され、柱部材２の中心線上で面接触した状態で固定されている。
【００６２】
このとき、柱部材２と斜材９との成す角度は４５度が好ましいが、０〜９０度の間で適宜変更することもできる。
【００６３】
[６]簡易木造構造物の設置方法について
本実施例の簡易木造構造物の設置方法（図７参照）は、あらかじめ設置する場所の地面Ｇに、型枠11を設置し、その枠内にあらかじめ連結した傘型ユニットＵ・Ｕ…を立設して、コンクリートＣで固めることにより行う。
【００６４】
本実施例では、凝固後のコンクリートＣが幅約３ｍ、奥行約５ｍ、厚さ約17cmとなるように型枠11を配設する。なお、型枠11の形状や寸法は、状況に応じて適宜変更することができる。
【００６５】
各傘型ユニットＵ同士は、実施例１同様の方法で連結するが、本実施例では、下側振れ止め部材７・７は用いていない。しかし、設計に応じて下側振れ止め部材７・７を用いることもできる。
【００６６】
また、実施例１同様に、隣り合う傘型ユニットＵ・Ｕ…の柱部材２・２…に、カウンター部材５・５…を、左右に突出するように順次取り付ける。
【００６７】
このようにして連結した傘型ユニットＵ・Ｕ…を、クレーンを用いて吊り上げ、型枠11内に設置し、型枠11の中にコンクリートＣを流し込むことにより固定する（図７、図８参照）。
【００６８】
このような簡易木造構造物の設置工法は、元々地面Ｇがコンクリート等の頑丈な地盤に有用であり、埋設する場合よりも更に容易に設置することができる。
【００６９】
『実施例３』
本発明の実施例３を、図９から図１２に基づいて以下に説明する。なお、図面中、同一要素には同一符号を付すこととし、重複する説明は省略する。
【００７０】
[簡易木造構造物の構成]
[７]簡易木造構造物の基本構成について
本実施例の簡易木溝構造物（図９参照）では、基本的な構成は実施例２と同様であるが、連結された傘型ユニットＵ・Ｕ…が、杭部材10・10…（後述する）を土等の柔らかい地面Ｇに穿通した状態で載置され、コンクリートＣで固められている点が実施例２と相違する。
【００７１】
[８]傘型ユニットの基本構成について
本実施例の傘型ユニットＵ（図10参照）は、基本的な構成は実施例２と同様であるが、ベース部材４に、下方向に突出した複数の杭部材10・10…が取着されている点が実施例２と相違する。
【００７２】
この杭部材10は、長さ約50cmの薄板材で構成されており、下側先端が三角形状を有している。なお、本実施例の下側先端形状は、杭部材10の中心線に対称な二等辺三角形としているが、形状は地面Ｇの固さや加工のし易さに応じて、適宜変更することができる。
【００７３】
また、本実施例では、ベース部材４に８本の杭部材10・10…を取着しているが、この本数も、ベース部材４の長さ等に応じて、適宜変更することができる。
【００７４】
このようにすることで、土等の柔らかい地面であれば、予め穴を掘る必要なく、地面Ｇに杭部材10を刺すことができる。
【００７５】
[９]簡易木造構造物の設置方法について
本実施例の簡易木造構造物の設置方法（図11参照）は、あらかじめ設置する場所の地面Ｇに、型枠11を設置し、その枠内にあらかじめ連結した傘型ユニットＵ・Ｕ…を、杭部材10・10…を地面Ｇに穿通することで立設して、コンクリートＣで固めることにより行う。
【００７６】
本実施例では、実施例２同様に、凝固後のコンクリートＣが幅約３ｍ、奥行約５ｍ、厚さ約17cmとなるように型枠11を配設する。なお、型枠11の形状や寸法は、状況に応じて適宜変更することができる。
【００７７】
そして、実施例２同様に、隣り合う傘型ユニットＵ・Ｕ…の柱部材２・２…に、カウンター部材５・５…を、左右に突出するように順次取り付ける。
【００７８】
このようにして連結した傘型ユニットＵ・Ｕ…を、クレーンを用いて吊り上げ、型枠11内に設置するが、杭部材10・10…を地面Ｇに穿通する際には、木槌等の工具を用いてベース部材４を叩くことで容易に穿通することができる。
【００７９】
更に、型枠11の中にコンクリートＣを流し込むことにより固定する（図11、図12参照）。
【００８０】
このような簡易木造構造物の設置工法は、元々地面Ｇが柔らかい土等だが、コストやその他の事情により穴を空けることが困難な地盤に有用であり、容易でありながら、強固に設置することができる。
【００８１】
本発明は、概ね上記のように構成されるが、本発明は図示の実施形態に限定されるもの
では決してなく、「特許請求の範囲」の記載内において種々の変更が可能であって、例え
ば、カウンター部材５は、全ての傘型ユニットではなく、一部の傘型ユニットだけに取着されていてもよい。
【００８２】
また、杭部材10は全ての傘型ユニットではなく、一部の傘型ユニットだけに取着されていてもよく、上記の何れのものも本発明の技術的範囲に属する。
【産業上の利用可能性】
【００８３】
喫茶や喫煙、休憩を目的とした簡易的な建築物では、景観との調和の目的もあって一本傘の東屋風のものを設置する場合が少なくない。本発明は、どのような地面状態でもなるべく低コストで容易に設置したいというニーズと、設置するからにはどのような人にも快適に利用してもらいたいというニーズを両立することができる有用な技術であるため、その産業上の利用価値は非常に高い。
【符号の説明】
【００８４】
１  垂木部材
２  柱部材
2a  表側柱板材
2b  裏側柱板材
３  方杖板
４  ベース部材
５  カウンター部材
６  上側振れ止め部材
７  下側振れ止め部材
８  連結板
９  斜材
10  杭部材
11  型枠
Ａ  簡易木造構造物
Ｃ  コンクリート
Ｇ  地面
Ｈ  穴
Ｒ  野地板
Ｕ  傘型ユニット
【要約】
【課題】建築物としての構造的な強度は確保しつつも、簡単な構造でなるべくコストをかけず、様々な場所に容易に設置できるだけでなく、幅広い人に快適に利用してもらうことができる簡易木造構造物、及びその設置工法を提供すること。
【解決手段】傘型ユニットＵを、山型に組み合わされた垂木部材１・１と、前記垂木部材１・１の頂部に地面Ｇと垂直に配設される柱部材２と、前記柱部材２の下端側に地面Ｇと平行に配設されるベース部材４と、前記柱部材２と左右の垂木部材１・１間をそれぞれ斜設する方杖板３とから構成し、前記柱部材２は、複数の板材を重ね合わせて構成し、少なくとも一つの板材は、頂部側が他の板材よりも短いものを使用し、前記短い板材の頂部側の端面に前記垂木部材１・１を載置した。
【選択図】  図１【図１】
0006882646.tif 000002
【図２】
0006882646.tif 000003
【図３】
0006882646.tif 000004
【図４】
0006882646.tif 000005
【図５】
0006882646.tif 000006
【図６】
0006882646.tif 000007
【図７】
0006882646.tif 000008
【図８】
0006882646.tif 000009
【図９】
0006882646.tif 000010
【図１０】
0006882646.tif 000011
【図１１】
0006882646.tif 000012
【図１２】
0006882646.tif 000013